(57)【要約】【課題】小便器から前方床に垂れる尿だけでなく、壁外横方向に、又は壁に当たって横方向に飛び散る尿も、受け止めて洗い流すことができる、床面を変色、劣化させず、清潔で衛生的な据置型小便器用水洗システムを提供する。【解決手段】据置型の小便器本体２と、小便器本体２の前方で床面に設けられた両足場３と、前記両足場３より低い位置に設けられ落下する尿を受け止めるための受け部４からなり、前記受け部４は、小便器本体２の接地部２ａの前縁からその前方向且つ両足場３の間に延設される前部受け部４ａと、小便器本体２の接地部２ａの側縁からその両横方向に延設される後部受け部４ｂからなり、前部受け部４ａと後部受け部４ｂは連続的に設けられているとともに、受け部４を洗浄するための洗浄水の放出口５と排水口６が設けられていることを特徴とする据置型小便器用水洗システム１である。【選択図】図１
2014088696.tif 000002
【特許請求の範囲】
【請求項１】
据置型の小便器本体と、小便器本体の前方の両足場より低い位置に設けられ落下する尿を受け止めるための受け部からなり、
前記受け部は、小便器本体の接地部の前縁からその前方向且つ両足場の間に延設される前部受け部と、小便器本体の接地部の側縁からその両横方向に延設される後部受け部とからなり、前部受け部と後部受け部は連続的に設けられているとともに、受け部を洗浄するための洗浄水の放出口と排水口が設けられていることを特徴とする据置型小便器用水洗システム。
【請求項２】
小便器本体の水洗と連動して洗浄水が放出口から受け部内に放出されることを特徴とする請求項１に記載の据置型小便器用水洗システム。
【請求項３】
放出口は、前部受け部の先端に設けられることを特徴とする請求項１又は２に記載の据置型小便器用水洗システム。
【請求項４】
排水口は後部受け部の後端に設けられるとともに、受け部は前部受け部の先端で高く後部受け部の後端で低い斜面状に形成されていることを特徴とする請求項３に記載の据置型小便器用水洗システム。
【請求項５】
受け部が、小便器本体の接地部の前縁からその前方向に延設される前部受け部と、小便器本体の接地部の側縁からその両横方向に延設される後部受け部とからなり、前部受け部と後部受け部は連続的に設けられているとともに、受け部を洗浄するための洗浄水の放出口と排水口が設けられており、既設の据置型小便器に後付け可能なようにユニット化されていることを特徴とする水洗システム用後付けユニット。
【請求項６】
受け部が周壁で囲まれたトレイ状であることを特徴とする請求項５に記載の水洗システム用後付けユニット。
【請求項７】
受け部の裏面に脚部が設けられていることを特徴とする請求項６に記載の水洗システム用後付けユニット。
【発明の詳細な説明】
【技術分野】
【０００１】
本発明は、水洗式の据置型小便器用水洗システムに係り、詳しくは、小便器から垂下した尿や誤って小便器外に放出された尿が床面に落下し、汚染したり、悪臭を発したりするのを防止した据置型小便器用水洗システムに関する。
【背景技術】
【０００２】
通常、小便用の便器は、尿が当る部分と両側の壁とからなり、下部に突出した形状の尿受け部を有している。従って、適切に使用すれば、たとえ放出された尿が小便器にあたっても、両側の壁に阻まれるため、小便器の外に飛び出さないように設計され、放尿終了間際の尿滴も前方に突出した尿受け部で受け止められ、床面には落下しないように設計されている。
【０００３】
しかしながら、使用者は不浄なイメージがある小便器からある程度離れて用を足そうとする傾向があるため、放出された尿が小便器の周縁部にあたって周りに飛び散ったり、小便器を伝って床に垂れる等の不都合が生じることがある。特に、放尿終了間際に尿が尿受け部に届かず落下して、床面を汚染することが多い。このため、「もう一歩前へ」等のメッセージもしばしば見かけられるが、効果は殆ど上らず、床面に尿の溜まりができたり、尿の凝固物が付着したりして、外観を損なうばかりでなく、悪臭を放つ原因になっている。尿の溜まりや尿の凝固物を避けようとして小便器から離れようとすると、上記現象は益々顕著となる。また、尿やその凝固物が靴の裏等に付着すると、それらを周囲に撒き散らすことになり、衛生上も深刻な問題である。更に、尿によりタイルが変色したり、目地やコンクリートが変色、劣化するという問題もある。
このような問題は頻繁に清掃すれば、ある程度解決できるが、会社等にあっては費用の関係もあって、一日一回程度が普通であり、上記の問題は殆ど解決されていないのが実情である。
【０００４】
小便器を伝って床に垂れる尿を間を置かずに洗い流すことができる小便器としては、特許文献１に記載されているような、小便器の下に垂れ受け皿が設けられたものが提案されている。しかしながら、特許文献１に記載の小便器では、トラップ方式を採用しているため、構造が極めて複雑となり高価とならざるを得ず、また、トラップ内の尿や水の悪臭が外部に漏れ出すことが避けられない。さらに、特に子供の場合に、尿を小便器の壁に当てて両側に飛び散らしたり、壁外に放出することも多いが、このような場合には何ら対処されておらず、上記問題の解決は不十分である。
【先行技術文献】
【特許文献】
【０００５】
【特許文献１】特開平６−２６０９０号公報
【発明の概要】
【発明が解決しようとする課題】
【０００６】
本発明はかかる実情に鑑み、上記問題を解決するもので、小便器から床に垂れる尿だけでなく、小便器の壁外に飛び散らせたり放出する尿も瞬時に洗い流すことができる、衛生的な据置型小便器用水洗システムを提供することを目的とする。
【課題を解決するための手段】
【０００７】
本発明は上記目的を達成するためになされたもので、本発明の特徴は、据置型の小便器本体と、小便器本体の前方の両足場より低い位置に設けられ落下する尿を受け止めるための受け部からなり、前記受け部は、小便器本体の接地部の前縁からその前方向且つ両足場の間に延設される前部受け部と、小便器本体の接地部の側縁からその両横方向に延設される後部受け部とからなり、前部受け部と後部受け部は連続的に設けられているとともに、受け部を洗浄するための洗浄水の放出口と排水口が設けられている据置型小便器用水洗システムである。
【０００８】
本発明の他の特徴は、小便器本体の水洗と連動して洗浄水が放出口から受け部内に放出される上記の据置型小便器用水洗システムである。
【０００９】
本発明の他の特徴は、放出口は、前部受け部の先端に設けられる上記の据置型小便器用水洗システムである。
【００１０】
本発明の他の特徴は、排水口後部は受け部の後端に設けられるとともに、受け部は前部受け部の先端で高く後部受け部の後端で低い斜面状に形成されている上記の据置型小便器用水洗システムである。
【００１１】
本発明の他の特徴は、受け部が、小便器本体の接地部の前縁からその前方向に延設される前部受け部と、小便器本体の接地部の側縁からその両横方向に延設される後部受け部とからなり、前部受け部と後部受け部は連続的に設けられているとともに、受け部を洗浄するための洗浄水の放出口と排水口が設けられており、既設の据置型小便器に後付け可能なようにユニット化されている水洗システム用後付けユニットである。
【００１２】
本発明の他の特徴は、受け部が周壁で囲まれたトレイ状である上記の水洗システム用後付けユニットである。
【００１３】
本発明の他の特徴は、受け部の裏面に脚部が設けられている上記の水洗システム用後付けユニットである。
【発明の効果】
【００１４】
本発明の据置型小便器用水洗システムは、小便器本体の接地部の前縁からその前方向且つ両足場の間に延設される前部と、小便器本体の接地部の側縁からその両横方向に延設される後部からなる受け部を有しているため、小便器から垂れる尿を受け部の前部で受け止めるとともに、壁外に放出されたり、壁に当たって飛び散る尿を受け部の後部で受け止めることができる。
受け部に落ちた尿は放出口からの洗浄水により洗い流されるので、尿の溜まりができたり、尿の凝固物が付着することもなく、悪臭の発生も防がれ、極めて衛生的である。また、尿によりタイル、目地やコンクリートが変色、劣化するという問題も解決される。
【００１５】
また、受け皿の洗浄を小便器の水洗と連動させれば、小便器の水洗と同時又は必要により、一定時間後に受け部に落ちた尿も直ちに洗浄することができるので、尿の凝固や悪臭が発生せず、常に極めて清潔に保つことができる。
【００１６】
放水口を前部受け部の先端に設ければ、受け部のなかで最も汚れやすい前部を重点的に洗浄することができる。
【００１７】
また、放水口を前部受け部の先端に設けるとともに、排水口を後部受け部の後端に設け、受け部全体を前部受け部の先端で高く後部受け部の後端で低い斜面状に形成すれば、受け部全体を一つの放水口により簡単に洗浄することができる。
【００１８】
受け部をユニット化すれば、既設の小便器の下部床面に凹部を形成し、受け部ユニットを凹部に埋設し配管するだけで、通常の小便器を容易且つ迅速に水洗システム化することができる。
また、受け部ユニットを周壁で囲まれたトレイ状とすることにより、小便器の下部床面に受け部ユニットを設置し配管するだけで、通常の小便器を簡易且つ迅速に水洗システム化することができる。また、この場合は、受け部ユニットの裏面に脚部を設けることにより、床面と受け部ユニットとの間にスペースができるので、受け部ユニットの下側の清掃が容易になる。
【図面の簡単な説明】
【００１９】
【図１】図１は本発明の据置型小便器用水洗システムの一例を示す平面図である。
【図２】図２は図１のＡ−Ａ概略断面図である。
【図３】図３（ａ）は図１の据置型小便器用水洗システムで用いる受け部の平面図であり、（ｂ）は受け部の別例を示す平面図である。
【図４】図４（ａ）は両足場を含む受け部ユニットの一例を示す平面図であり、（ｂ）はその正面図であり、（ｃ）はその側面図である。
【発明を実施するための形態】
【００２０】
本発明の据置型小便器用水洗システム１は、例えば図１及び図２に示したように、据置型の小便器本体２と、小便器本体２の前方の両足場３と、前記両足場３より低い位置に設けられ落下する尿を受け止めるための受け部４からなり、前記受け部４は、小便器本体２の接地部２ａの前縁からその前方向且つ両足場３の間に延設される前部受け部４ａと、小便器本体２の接地部２ａの側縁からその両横方向に延設される後部受け部４ｂからなり、前部受け部４ａと後部受け部４ｂは連続的に設けられているとともに、受け部４を洗浄するための洗浄水の放出口５と排水口６が設けられていることを特徴とする。
【００２１】
本発明の据置型小便器用水洗システム１は、図１及び図２に例示されるように、小便器本体２と、両足場３と、受け部４と、からなる。
本発明で用いる小便器本体２の形状は、据置型（ストール型）であれば特に限定されない。
【００２２】
本発明において両足場３は、小便器を用いる際に使用者が足を乗せる部分であり、小便器本体２の前方の床面に配置される。両足場３は、床面を使用してもよく、また、別途設けることもできる。別途設ける場合は、両足場３の高さは適宜調節することができる。また、本発明において、受け部４は小便器本体２からこぼれ落ちた尿を受け止める部分であり、当該受け部４に落ちた尿を洗浄水で洗い流すように構成されている。
受け部４は、洗浄水が両足場３に逆流して使用者の足を汚すことがないように、両足場３よりも低い位置に配置されるのが好ましい。両足場３と受け部４の高度差は特に限定されず、洗浄水の量や流速等を考慮して両足場３に洗浄水が逆流せず、且つ両足場３及び受け部４の清掃がしやすい程度の高度差にすればよいが、通常は３〜５ｃｍ程度が適切である。図１、図２では、受け部４は上記高度差、即ち、３〜５ｃｍ程度の側壁を周設したトレイ状とした例を示したが、トレイ状の受け部４は、設置箇所の防水工事も不要または簡単で作業性が良好であるという特徴を有する。しかし、後述するように、ユニット化し床面上に設置する場合を除いて、必ずしもトレイ状とする必要はない。
【００２３】
受け部４は、前部受け部４ａと後部受け部４ｂからなる。前部受け部４ａは小便器本体２の接地部２ａの前縁からその前方向、即ち使用者側に延設される部分である。両足場３はこの前部受け部４ａの両側に配置されるので、使用者が小便器本体２を使用する際には、前部受け部４ａをまたいだ状態になる。そして、放尿終了間際に尿が小便器本体２の尿受け部２ｂに届かないような場合には、落下した尿をこの前部受け部４ａで受け止めることにより、両足場３や床面が尿で汚されるのを防止する。
【００２４】
受け部４の後部受け部４ｂは、小便器本体２の接地部２ａの側縁からその両横方向に延設される部分である。この部分は尿が誤って小便器の壁外に、又は壁に当って両側に飛び散るような場合に、横方向に飛び散った尿を受け止めて、床面が尿で汚されるのを防止する。なお、本発明において、接地部２ａの前縁とは、接地部２ａのうち、前方から見える部分であり、側縁とは同じく横方から見える部分である。即ち、前縁と側縁の間に明確な境界はなく、互いに重複している。
【００２５】
図１、２に示した例において、受け部４の形状は、後部受け部４ｂがトイレの壁の全幅に渡って設けられており、前部受け部４ａは小便器本体２の前端付近から一定幅で延設され、全体として図３（ａ）に示した形状であるが、本発明で使用できる受け部４の形状はこれに限定されず、例えば、図３（ｂ）に示したように、前部受け部４ａの幅を後部受け部４ｂから遠ざかるほど狭くしたテーパー状としてもよいし、或いは、前部受け部４ａの先端４ａ１や、後部受け部４ｂの側端４ｂ１の角を丸めて半円形にしてもよく、その他、所望のデザイン化してもよく、即ち、小便器本体２に届かなかったり、小便器本体２の周縁部に当って飛び散った尿を受け止めることができる形状であれば、どのような形状でも採用できる。
また、壁際に数個の小便器本体２を連設するような場合には、隣接する受け部４の後部受け部４ｂを互いに接続して連通一体化させてもよい。
【００２６】
本発明において、受け部４で受け止めた尿は、適宜、洗浄水で洗い流されるように構成される。即ち、受け部４は、前部受け部４ａと後部受け部４ｂが連続的に設けられているとともに、洗浄水を受け部４内に導入するための放出口５と、使用後の洗浄水を受け部４外に排出するための排水口６が設けられる。
放出口５及び排水口６の位置は、洗浄水を受け部４全体に行き渡らせ、洗浄することができる限り特に限定されないが、小便器を使用する際、放尿終了間際には尿が小便器本体２の尿受け部２ｂに届かないケースが多く、受け部４の前部受け部４ａが最も汚れやすい。このような実情を考慮すれば、図３（ａ）に示すように、前部受け部４ａの先端４ａ１に放出口５を設けて、前部受け部４ａを重点的に洗浄できるようにするのが好ましい。この場合、排水口６は左右（図では、上下）に設けられた後部受け部４ｂのそれぞれに設けるとともに、受け部４全体を前部の先端で高く後部の後端で低い斜面状にして排水し易くするのが好ましい。
【００２７】
排水口６を一箇所にしたい場合には、例えば、図３（ｂ）に示されるように、左右いずれか一方の後部受け部４ｂに放水口５を設け、他方の後部受け部４ｂに排水口６を設ければよい。この場合、受け部４全体を放水口５を設けた側で高く排水口６を設けた側で低い斜面状にすることにより、排水口５から放水された水は左（下）の後部受け部４ｂを洗浄した後、前部受け部４ａを洗浄し、その後、右（上）の後部受け部４ｂを洗浄して排水口６より排水される。
また、放出口５を必要に応じ２箇所以上、例えば前部受け部４ａの先端４ａ１と左右いずれか一方の後部受け部４ｂの側端４ｂ１に設け、排水口６を他方の後部受け部４ｂに設けてもよい。
なお、複数の小便器本体２を連設し、隣接する受け部４の後部受け部４ｂを接続して連通一体化した場合、排水口６は一体化された受け部４につき１箇所設ければ十分であるが、必要に応じ２個以上設けてもよい。
【００２８】
放出口５の構造は特に限定されず、最も単純な場合として、端部が開放された水道管を放出口５とし、少量の水を常に流すように構成することもできるが、通常の場合にはバルブを設け、必要なときに洗浄水を流すように構成される。洗浄水はフィルム状に流すと、少量の水でよいので経済的であり好ましい。
バルブを設けた場合、放出口５を開放して洗浄水を流すタイミングは特に限定されないが、小便器本体２を水洗するタイミングと連動して受け部４にも洗浄水を流すように構成するのが好ましいが、必要により、一定時間毎に定期的に洗浄水を流すようにしてもよく、また、これらの組み合わせでもよい。放出口５を２箇所以上に設ける場合は、一方を小便器本体２の水洗と連動させ、他方を一定時間毎に洗浄するようにしてもよく、具体的には、汚れやすい前部受け部４ａを洗浄する放出口５は小便器本体２の水洗と連動させ、比較的汚れにくい後部受け部４ｂを洗浄する放出口５は一定時間毎に洗浄水を放出するようにしてもよい。
【００２９】
なお、ここでいう連動とは、小便器本体２の水洗と同時に洗浄水を放出する場合のみならず、小便器本体２の水洗から一定時間後に洗浄水を放出するような場合も含まれるが、清潔面、衛生面からは前者が好ましい。
本発明の据置型小便器用水洗システムに用いられる素材は、ステンレス、アルミ等の金属、ホウロウ、陶磁、樹脂等のいずれでもよいが、軽量で耐久性があり、外観が清潔感に富み、加工性が良好である点でステンレスが好ましい。
【００３０】
本発明の据置型小便器用水洗システムは、小便器本体２と、両足場３より低い位置に設けられた受け部４を備えた水洗システムとして新に施工されるか、又は既設の小便器に少なくとも受け部４を後付けすることによりリフォームされる。
リフォームの場合、図３に示したユニット化された受け部４を用い、床面に該受け部４を凹設できる凹部を形成し、該凹部に該受け部を嵌め込み放出口５と排水口６を配管する。両足場としては、床面を利用することができる。
また、周壁で囲まれたトレイ状の受け部ユニットを用いる場合は、床面に該受け部ユニットを配置し配管するだけでよい。更に、図４に例示したように、両足場３と放出口５と排水口６を備えた受け部４とを含むユニット化し、これを既設の小便器の下に設置することによってリフォームすることもできる。
【００３１】
受け部ユニット１ａを床面に設置する場合、床面と受け部ユニット１ａとが接触していると、受け部ユニット１ａを設置した床面を掃除する際に汚れがユニット１ａと床面との間に溜まりやすく掃除がしにくくなる。従って、受け部ユニット１ａと床面との間に間隔を保つためのスペーサーを介在させるのが好ましい。
図４に示した例では、受け部４の裏面に脚部４ｃを設け、この脚部４ｃにより床面とユニット１ａの受け部４の裏面との間に間隔を保つように構成されているが、これに限定されず、ユニット１ａとは別体のスペーサーをユニット１ａの受け部４の裏面に敷設してもよい。
【産業上の利用可能性】
【００３２】
上記したとおり、本発明の据置型小便器用水洗システムは、小便器本体の接地部の前縁からその前方向且つ両足場の間に延設される前部受け部と、小便器本体の接地部の側縁からその両横方向に延設される後部受け部を備えており、小便器本体の外横方向に洩れ出た尿は両横方向に設けられた後部受け部で受け、また、小便器本体の前方の尿受け部より洩れ出た尿は前方に設けられた前部受け部で受け、これらの受け部で受けた尿を洗い流すように構成されている。
したがって、床面に尿の溜りができたり、凝固物で汚れが付着したりして、外観を悪くしたり、悪臭を発することがなく、清潔で衛生的な据置型小便器用水洗システムを提供することができる。更に、床面のタイルやコンクリート等が尿により変色、劣化することがないのでこれらの耐久性が高められ、極めて有用性の高いものである。
【符号の説明】
【００３３】
１  据置型小便器用水洗システム
１ａ  ユニット
２  小便器本体
２ａ  接地部
２ｂ  小便器本体の尿受け部
３  両足場
４  受け部
４ａ  前部受け部
４ａ１  先端
４ｂ  後部受け部
４ｂ１  側端
４ｃ  脚部
５  放出口
６  排水口
【図１】
2014088696.tif 000003
【図２】
2014088696.tif 000004
【図３】
2014088696.tif 000005
【図４】
2014088696.tif 000006